(57)【要約】【課題】固定部材を追加しなくても、しっかりとした固定状態での持ち歩きが可能な携帯容器及び箱型包装食品を提供する。【解決手段】携帯カートン１０１は、一対の腕部１，２が切り起こし可能となるようにミシン目Ｍ１で形成された箱型の携帯容器である。一対の腕部１，２が切り起こされて環状に組まれた状態に係合すると少なくとも一方の腕部１，２にねじれが生じるように、一対の腕部１，２には互いに係合させる切り込み１ａ，２ａが形成されている。【選択図】図１
2020132168.tif 000002
【特許請求の範囲】
【請求項１】
一対の腕部が切り起こし可能となるようにミシン目で形成された箱型の携帯容器であって、
前記一対の腕部が切り起こされて環状に組まれた状態に係合すると少なくとも一方の腕部にねじれが生じるように、前記一対の腕部には互いに係合させる係合部が形成されていることを特徴とする携帯容器。
【請求項２】
前記係合部が切り込み又は切欠きから成ることを特徴とする請求項１記載の携帯容器。
【請求項３】
少なくとも一方の腕部に前記係合部が複数形成されていることを特徴とする請求項１又は２記載の携帯容器。
【請求項４】
前記一対の腕部の切り起こしにより、両腕部が共通した付け根を有するように、円形と台形との結合形状を有する支持部が腕部間に形成され、
前記一対の腕部において前記支持部に対する反対側に前記係合部が位置し、
前記環状に組まれた状態に係合した一対の腕部が、前記ねじれにより湾曲することで突出した円錐台形状を形成することを特徴とする請求項１〜３のいずれか１項に記載の携帯容器。
【請求項５】
前記係合した一対の腕部の先端が前記支持部に当接するように、前記一対の腕部が湾曲することを特徴とする請求項４記載の携帯容器。
【請求項６】
前記係合した一対の腕部の先端が前記支持部から離れるように、前記一対の腕部が湾曲することを特徴とする請求項４記載の携帯容器。
【請求項７】
切り起こし前の一対の腕部が半円形状の対向した円形状を成すように左右に並んで形成されており、
両腕部が共通した付け根を有するように前記一対の腕部が切り起こされ、
前記一対の腕部において内周と外周の両側に前記係合部が位置し、
前記環状に組まれた状態に係合した一対の腕部が、前記ねじれにより湾曲することで突出した円錐台形状を形成することを特徴とする請求項１〜３のいずれか１項に記載の携帯容器。
【請求項８】
切り起こし前の一対の腕部が左右方向に延びるように上下に並んで形成されており、
一方の腕部が左側に付け根を有し、かつ、他方の腕部が右側に付け根を有するように、前記一対の腕部が切り起こされ、
前記一対の腕部において互いの対向する側に前記係合部が位置し、
前記環状に組まれた状態に係合した一対の腕部が、前記ねじれにより湾曲することで屋根型に突出した三角柱形状を形成することを特徴とする請求項１〜３のいずれか１項に記載の携帯容器。
【請求項９】
１枚のブランク板の折り曲げにより形成されたものであることを特徴とする請求項１〜８のいずれか１項に記載の携帯容器。
【請求項１０】
請求項１〜９のいずれか１項に記載の携帯容器と、その内部に収納された食品と、を備えたことを特徴とする箱型包装食品。
【発明の詳細な説明】
【技術分野】
【０００１】
本発明は携帯容器及び箱型包装食品に関するものであり、例えば、厚紙製のブランク板からなる箱型の携帯容器と、その携帯容器に食品を収納してなる箱型包装食品に関するものである。
【背景技術】
【０００２】
携帯容器には輸送適性や耐衝撃性等が求められる。そのような特性に優れた携帯容器のなかでも、持ち歩くときの保護容器として優れたものを順に挙げると、プラスチック成型品、クリアケース、紙箱、軟包装となる。紙箱やクリアケースは、壊れやすい内容物の保護性に関しては軟包装より優れるものの、プラスチック成型品ほどの形状維持ができないため、壊れやすいものを保護する容器としては、やや劣る。そのため、紙箱やクリアケースに入っている内容物が壊れやすい場合には、内容物をプラスチック成型品に入れ替えて持ち歩くか、あるいは紙箱やクリアケースが押しつぶされないように、鞄の中での置き方を工夫する等の対策が必要になる。
【０００３】
紙箱やクリアケース等の箱型容器を鞄内の所定位置に配置しようとすると、クリップ等の固定部材が必要になるが、固定部材を追加するとその分のコストがかかるうえに容器の携帯性も損なわれてしまう。このような観点から、固定部材の追加無しに箱型容器の固定を可能とするために、従来より様々な構成が提案されている。例えば特許文献１には、切り起こし方向が一直線上の縦列関係にある一対の舌片を容器底面にミシン目で形成し、ミシン目で切り起こした一対の舌片を互いに係止させて環状にし、ベッドやタオル掛けのパイプに引っ掛けるようにした箱型容器が提案されている。
【先行技術文献】
【特許文献】
【０００４】
【特許文献１】特開２００３−２１２２３０号公報
【発明の概要】
【発明が解決しようとする課題】
【０００５】
特許文献１に記載の箱型容器は、ティッシュペーパーやキッチンペーパー等の箱を想定したものであるため、携帯性が重視されていない。つまり、パイプに引っ掛ける程度の固定構造では、鞄内の所定位置に配置することができず、持ち歩いているうちに押しつぶされてしまうおそれがある。
【０００６】
本発明はこのような状況に鑑みてなされたものであって、その目的は、固定部材を追加しなくても、しっかりとした固定状態での持ち歩きが可能な携帯容器及び箱型包装食品を提供することにある。
【課題を解決するための手段】
【０００７】
上記目的を達成するために、第１の発明の携帯容器は、一対の腕部が切り起こし可能となるようにミシン目で形成された箱型の携帯容器であって、
前記一対の腕部が切り起こされて環状に組まれた状態に係合すると少なくとも一方の腕部にねじれが生じるように、前記一対の腕部には互いに係合させる係合部が形成されていることを特徴とする。
【０００８】
第２の発明の携帯容器は、上記第１の発明において、前記係合部が切り込み又は切欠きから成ることを特徴とする。
【０００９】
第３の発明の携帯容器は、上記第１又は第２の発明において、少なくとも一方の腕部に前記係合部が複数形成されていることを特徴とする。
【００１０】
第４の発明の携帯容器は、上記第１〜第３のいずれか１つの発明において、前記一対の腕部の切り起こしにより、両腕部が共通した付け根を有するように、円形と台形との結合形状を有する支持部が腕部間に形成され、
前記一対の腕部において前記支持部に対する反対側に前記係合部が位置し、
前記環状に組まれた状態に係合した一対の腕部が、前記ねじれにより湾曲することで突出した円錐台形状を形成することを特徴とする。
【００１１】
第５の発明の携帯容器は、上記第４の発明において、前記係合した一対の腕部の先端が前記支持部に当接するように、前記一対の腕部が湾曲することを特徴とする。
【００１２】
第６の発明の携帯容器は、上記第４の発明において、前記係合した一対の腕部の先端が前記支持部から離れるように、前記一対の腕部が湾曲することを特徴とする。
【００１３】
第７の発明の携帯容器は、上記第１〜第３のいずれか１つの発明において、切り起こし前の一対の腕部が半円形状の対向した円形状を成すように左右に並んで形成されており、
両腕部が共通した付け根を有するように前記一対の腕部が切り起こされ、
前記一対の腕部において内周と外周の両側に前記係合部が位置し、
前記環状に組まれた状態に係合した一対の腕部が、前記ねじれにより湾曲することで突出した円錐台形状を形成することを特徴とする。
【００１４】
第８の発明の携帯容器は、上記第１〜第３のいずれか１つの発明において、切り起こし前の一対の腕部が左右方向に延びるように上下に並んで形成されており、
一方の腕部が左側に付け根を有し、かつ、他方の腕部が右側に付け根を有するように、前記一対の腕部が切り起こされ、
前記一対の腕部において互いの対向する側に前記係合部が位置し、
前記環状に組まれた状態に係合した一対の腕部が、前記ねじれにより湾曲することで屋根型に突出した三角柱形状を形成することを特徴とする。
【００１５】
第９の発明の携帯容器は、上記第１〜第８のいずれか１つの発明において、１枚のブランク板の折り曲げにより形成されたものであることを特徴とする。
【００１６】
第１０の発明の箱型包装食品は、上記第１〜第９のいずれか１つの発明に係る携帯容器と、その内部に収納された食品と、を備えたことを特徴とする。
【発明の効果】
【００１７】
本発明によれば、一対の腕部が切り起こされて環状に組まれた状態に係合すると少なくとも一方の腕部にねじれが生じる構成になっているため、ねじれた腕部の弾性力（復元力）で携帯容器を固定対象（鞄等）に強く固定することができる。したがって、固定部材を追加しなくても、しっかりとした固定状態での持ち歩きが可能な携帯容器及び箱型包装食品を実現することができる。
【図面の簡単な説明】
【００１８】
【図１】第１の実施の形態の携帯カートンの背面側外観を腕部の切り起こし前状態及び係合状態で示す平面図。
【図２】第２の実施の形態の携帯カートンの背面側外観を腕部の切り起こし前状態及び係合状態で示す平面図。
【図３】第３の実施の形態の携帯カートンの背面側外観を腕部の切り起こし前状態及び係合状態で示す平面図。
【図４】第４の実施の形態の携帯カートンの背面側外観を腕部の切り起こし前状態及び係合状態で示す平面図。
【図５】第１の実施の形態の携帯カートンのブランク板を示す平面図。
【図６】第２の実施の形態の携帯カートンのブランク板を示す平面図。
【図７】第３の実施の形態の携帯カートンのブランク板を示す平面図。
【図８】第４の実施の形態の携帯カートンのブランク板を示す平面図。
【図９】第１，第２の実施の形態において一対の腕部が環状に組まれて係合した状態を模式的に示す側面図。
【図１０】第１の実施の形態の携帯カートンが鞄に固定された状態を示す正面図。
【図１１】第１の実施の形態の携帯カートンがペットボトルに固定された状態を示す正面図。
【図１２】第１，第２の実施の形態の携帯カートンの斜めスタンド状態を模式的に示す側面図。
【図１３】第５の実施の形態の携帯カートンのブランク板を示す平面図。
【図１４】第６の実施の形態の携帯カートンのブランク板を示す平面図。
【図１５】第７の実施の形態の携帯カートンのブランク板を示す平面図。
【図１６】第８の実施の形態の携帯カートンのブランク板を示す平面図。
【図１７】第９の実施の形態の携帯カートンのブランク板を示す平面図。
【図１８】第１０の実施の形態の携帯カートンのブランク板を示す平面図。
【発明を実施するための形態】
【００１９】
以下、本発明の実施の形態に係る携帯容器、それを用いた箱型包装食品等を、図面を参照しつつ説明する。なお、各実施の形態や具体例等の相互で同一の部分や相当する部分には同一の符号を付して重複説明を適宜省略する。
【００２０】
図１〜図４に、第１〜第４の実施の形態に係る携帯カートン１０１，１０２，１０３，１０４の背面側外観を示す。携帯カートン１０１，１０２，１０３，１０４は、いずれも一対の腕部１，２が切り起こし可能となるようにミシン目Ｍ１，Ｍ２，Ｍ３，Ｍ４で形成された箱型の携帯容器であり、図１〜図４において、（Ａ）は腕部１，２の切り起こし前状態を示しており、（Ｂ）は切り起こされた腕部１，２の係合状態を示している。
【００２１】
携帯カートン１０１〜１０４の内部には、内容物を収容するための収容空間Ｓが設けられている（図１〜図４中の（Ｂ））。内容物としては、食品（例えば、チョコレート菓子，キャンディー等の菓子類），化粧品（例えば、リップスティック，マニキュア等のメークアップ化粧品）等が挙げられるが、ここでは、複数のスティック菓子の入った個包装食品を内容物として想定している。そして、単数又は複数の個包装食品を収容空間Ｓ内に収納することによって、箱型包装食品が構成される。したがって、携帯カートン１０１〜１０４の用途としては、食品ケース（菓子箱等），化粧品ケース，販売促進用ケース等が挙げられる。
【００２２】
図５〜図８の展開図に、携帯カートン１０１，１０２，１０３，１０４を構成しているブランク板２０１，２０２，２０３，２０４をそれぞれ示す。携帯カートン１０１〜１０４は、１枚のブランク板２０１〜２０４の折り曲げにより形成される。また、ブランク板２０１〜２０４は、板状のシート材料を展開図（図５〜図８）のように打ち抜くことにより形成される。
【００２３】
ブランク板２０１〜２０４を構成するシート材料としては、例えば、厚紙（ボール紙等）や樹脂板（ポリエチレンテレフタレート，ポリプロピレン等の樹脂から成る透明又は不透明な樹脂板）が挙げられる。携帯カートン１０１〜１０４を樹脂製のクリアケース（透明プラスチックケース）として構成した場合、内容物が容易に視認可能となり、携帯カートン１０１〜１０４と内容物との両方で情報表示（商品情報等の表示）が可能となる。なお、材質に関しては個包装もブランク板２０１〜２０４と同様であり、必要に応じた材質（紙，樹脂等）が採用可能である。
【００２４】
ブランク板２０１〜２０４は、図５〜図８に示すように、背面板５；前面板６；側面板７，８；糊代片９；天面板１０；オーバーフラップ板１１；底面板１２等からなっている。背面板５の底面側には糊代片５ａが設けられており、前面板６の天面側には糊代片６ａ，６ｂが設けられており、側面板７，８の天面側と底面側にはフラップ７ａ，７ｂ；８ａ，８ｂがそれぞれ設けられている。糊代片５ａ；糊代片６ａ，６ｂの接着剤塗布面には、ハーフカットのミシン目が形成されており、ミシン目の数で接着力の調整が可能となっている。
【００２５】
背面板５には、前述した一対の腕部１，２を切り起こすためのミシン目Ｍ１〜Ｍ４と、一対の腕部１，２を環状に組まれた状態に係合させる切り込み１ａ，１ｂ，２ａ，２ｂ又は切欠き１ｃ，２ｃと、が形成されている。また、前面板６における糊代片６ｂの境界には、開封時の破断に用いるミシン目Ｎ２が形成されている。
【００２６】
ブランク板２０４の前面板６（図８）には、直線状のミシン目Ｍ５（例えば、ピッチ：５ｍｍカット×２ｍｍノンカット）が形成されている。そして、携帯カートン１０４（図４）に組み立てられた状態において、ミシン目Ｍ５に沿って前面板６に切り込みを形成することにより、その切り込みをカードフォルダーとして使用することが可能になっている。例えば、長さ６８ｍｍのミシン目Ｍ５を前面板６の下端から６０ｍｍ（左右端から１１ｍｍ）の位置に形成した場合、そのミシン目Ｍ５で形成した切り込みに一般的なサイズのカードを挿入すると、カードは底面板１２上に載るようにして安定した状態で携帯カートン１０４内に収納される。収納状態のカードは、その上部が切り込みから適正な大きさで露出するため、抜き取りも容易に行うことができる。
【００２７】
ブランク板２０１〜２０３内には、リード罫から成る折り曲げ線Ｌ１〜Ｌ４と、押し罫から成る折り曲げ線Ｋ１〜Ｋ９と、が折り目を形成するために形成されている。また、ブランク板２０４内には、リード罫から成る折り曲げ線Ｌ３，Ｌ４と、押し罫から成る折り曲げ線Ｋ１〜Ｋ１１と、が折り目を形成するために形成されている。
【００２８】
携帯カートン１０１〜１０４の組み立ては、以下のようにブランク板２０１〜２０４を折り曲げ線Ｌ１〜Ｌ４，Ｋ１〜Ｋ１１に沿って折り曲げること等によって行われる。まず、折り曲げ線Ｌ１，Ｌ２（又はＫ１０，Ｋ１１）；Ｋ１，Ｋ２に沿ってブランク板２０１〜２０４を折り曲げて、糊代片９を側面板８の内側に貼り付ける。折り曲げ線Ｋ５，Ｋ７に沿ってフラップ７ｂ，８ｂを折り曲げ、折り曲げ線Ｋ８に沿って糊代片５ａを折り曲げて、糊代片５ａに底面板１２を貼り付ける。
【００２９】
携帯カートン１０１〜１０４は天面側に開口した状態になっているので、その開口から収容空間Ｓ内に個包装食品を投入する。次に、折り曲げ線Ｋ４，Ｋ６に沿ってフラップ７ａ，８ａを折り曲げ、折り曲げ線Ｌ４に沿って糊代片６ａを折り曲げ、折り曲げ線Ｌ３に沿って天面板１０を折り曲げ、折り曲げ線Ｋ９に沿ってオーバーフラップ板１１を折り曲げて、糊代片６ａ，６ｂに天面板１０，オーバーフラップ板１１をそれぞれ貼り付ける。その結果、個包装食品が収容されている収容空間Ｓは密封された状態となり、その密封状態で箱型包装食品の保管，輸送等が行われる。
【００３０】
携帯カートン１０１〜１０４を開封する場合、ミシン目Ｎ２に沿って糊代片６ｂを切り取りながら糊代片６ｂと共にオーバーフラップ板１１を引き起こし、糊代片６ａと共に天面板１０を引き起こす。その結果、携帯カートン１０１〜１０４は天面側に開口した状態になって、その開口から収容空間Ｓ内の個包装食品を取り出すことが可能となる。天面板１０には糊代片６ａが貼り付けられた状態にあり、オーバーフラップ板１１には糊代片６ｂが貼り付けられた状態にあるため、前面板６の内側にオーバーフラップ板１１を差し込むことによって、携帯カートン１０１〜１０４を再封することができる。
【００３１】
携帯カートン１０１〜１０４を持ち歩きに使用する場合、背面板５に形成されているミシン目Ｍ１〜Ｍ４に沿って一対の腕部１，２を切り起こし、係合部で環状に組まれた状態に係合させる。その係合部は、一対の腕部１，２がねじれを伴って環状に組まれた状態で係合するように形成されている。携帯カートン１０１〜１０４に用いられている係合部は、前述の切り込み１ａ，１ｂ，２ａ，２ｂと切欠き１ｃ，２ｃである。つまり、一対の腕部１，２が切り起こされて環状に組まれた状態に係合すると少なくとも一方の腕部１，２にねじれが生じるように、一対の腕部１，２には互いに係合させる係合部として、切り込み１ａ，１ｂ，２ａ，２ｂ又は切欠き１ｃ，２ｃが形成されている。
【００３２】
係合部のうち、切り込み１ａ，１ｂ，２ａ，２ｂには強い係合状態が得られるというメリットがあり、切欠き１ｃ，２ｃには係合を容易に行うことができるというメリットがある。なお、腕部１，２の切り起こしは、内容物の破損等を避けるため、収容空間Ｓから内容物を取り出してから行うことが好ましい。
【００３３】
携帯カートン１０１（図１，図５）には、腕部１，２に切り込み１ａ，２ａがそれぞれ係合部として形成されており、携帯カートン１０２には（図２，図６）、腕部１，２に切欠き１ｃ，２ｃがそれぞれ係合部として形成されている。携帯カートン１０１，１０２では、一対の腕部１，２の切り起こしにより、両腕部１，２が共通した付け根を連結部４として有するように、円形と台形との結合形状を有する支持部３が腕部１，２間に形成される。一対の腕部１，２において支持部３に対する反対側には、携帯カートン１０１において切り込み１ａ，２ａが位置し、携帯カートン１０２において切欠き１ｃ，２ｃが位置する。また、環状に組まれた状態に係合した一対の腕部１，２は、前記ねじれにより湾曲することで突出した円錐台形状を形成する（図１（Ｂ），図２（Ｂ））。
【００３４】
携帯カートン１０３には（図３，図７）、腕部１，２に切り込み１ａ，１ｂ；２ａ，２ｂがそれぞれ係合部として形成されている。携帯カートン１０３では、切り起こし前の一対の腕部１，２が半円形状の対向した円形状を成すように左右に並んで形成されており、両腕部１，２が共通した付け根を連結部４として有するように一対の腕部１，２が切り起こされる。腕部１，２間の円形部分は、一対の腕部１，２を切り起こした後に取り除かれる。一対の腕部１，２において、外周側には切り込み１ａ，２ａが位置し、内周側には切り込み１ｂ，２ｂが位置する。また、環状に組まれた状態に係合した一対の腕部１，２は、前記ねじれにより湾曲することで突出した円錐台形状を形成する（図３（Ｂ））。
【００３５】
携帯カートン１０４には（図４，図８）、腕部１に切り込み１ａが係合部として形成されており、腕部２に切り込み２ａ，２ｂが係合部として形成されている。携帯カートン１０４では、切り起こし前の一対の腕部１，２が左右方向に延びるように上下に並んで形成されており、一方の腕部１が左側に付け根を有し、かつ、他方の腕部２が右側に付け根を有するように、一対の腕部１，２が切り起こされる。一対の腕部１，２において互いの対向する側には、腕部１において切り込み１ａが位置し、腕部２において切り込み２ａ，２ｂが位置する。また、環状に組まれた状態に係合した一対の腕部１，２は、前記ねじれにより湾曲することで屋根型に突出した三角柱形状を形成する（図４（Ｂ））。
【００３６】
図９の側面図に、一対の腕部１，２が環状に組まれて係合した状態の携帯カートン１０１，１０２（図１（Ｂ），図２（Ｂ））を模式的に示す。環状に組まれた状態に係合した一対の腕部１，２は、前記ねじれにより湾曲することで突出した円錐台形状を形成しており、その湾曲により腕部１，２の先端が支持部３に当接している。支持部３は、腕部１，２の湾曲で生じた弾性力により押圧されて、その先端が前面板６側に移動している（腕部１，２による前面側への押圧）。これは腕部１，２の弾性力で固定対象に携帯カートン１０１，１０２を強く固定することが可能であることを意味している。携帯カートン１０３，１０４においても一対の腕部１，２が同様に作用するが、携帯カートン１０１，１０２では、腕部１，２の先端と対向するように支持部３が位置しているため、腕部１，２と支持部３との間に固定対象の一部を強く挟むことで、より強固な固定状態での使用が可能となる。
【００３７】
図１０に、携帯カートン１０１の使用例を示す。図１０は、箱型包装食品３０１を構成している携帯カートン１０１が鞄１５に固定された状態を示す正面図である。携帯カートン１０１は、腕部１，２から成る環内に取っ手１５ａが位置する状態で、鞄１５の中に配置されている。ねじれた腕部１，２は、切り起こし前状態（図１（Ａ））に戻ろうとする復元力（腕部１，２の弾性力）で鞄１５を外側から押圧し、鞄１５の内側に位置する支持部３との間で鞄１５を挟んだ状態としている。携帯カートン１０１は鞄１５に対してしっかりとした固定状態にあるため、鞄１５を持ち歩いても押しつぶされるはことなく、その位置を保持することが可能である。したがって、携帯カートン１０１に入っている内容物が壊れやすい場合でも、安心して持ち歩くことができる。
【００３８】
図１１に、携帯カートン１０１の他の使用例を示す。図１１は、箱型包装食品３０１を構成している携帯カートン１０１がペットボトル１６に固定された状態を示す正面図である。携帯カートン１０１は、腕部１，２から成る環内にボトル上部１６ａが位置する状態で、ペットボトル１６に固定されている。ねじれた腕部１，２は、切り起こし前状態（図１（Ａ））に戻ろうとする復元力（腕部１，２の弾性力）でペットボトル１６を前側から押圧し、ペットボトル１６の後ろ側に位置する背面板５との間でペットボトル１６を挟んだ状態としている。携帯カートン１０１はペットボトル１６に対してしっかりとした固定状態にあるため、ペットボトル１６を持ち歩いてもその位置を保持することが可能である。
【００３９】
上記のように、切り込み１ａ，２ａ等の係合部で、一対の腕部１，２を環状に組んだ状態に係合させると、腕部１，２の環内に固定対象の一部を位置させることが可能になると共に、上述のねじれた腕部１，２が切り起こし前状態（図１〜図４中の（Ａ））に戻ろうとする復元力（腕部１，２の弾性力）で固定対象を押圧することが可能になる。したがって、固定部材を追加しなくても、固定対象に携帯カートン１０１〜１０４を強く固定した状態で使用することができる。
【００４０】
携帯カートン１０１〜１０４の固定対象としては、鞄やペットボトル以外に、ポケット付きの衣服や車載用のカップホルダー等が挙げられる。また、携帯カートン１０１〜１０４では、固定対象において細長い形状（紐状，棒状，管状等）を有する部分を腕部１，２の環内に通すことで、簡単な固定（引っ掛け，吊り下げ等）を行うことが可能であり、固定対象の一部（ポケット等）に腕部１，２を引っ掛けて、その弾性力のみで簡単な固定を行うことも可能である。このため、携帯カートン１０１〜１０４は携帯性だけでなく利便性にも優れている。
【００４１】
図１２に、固定対象から外された状態の携帯カートン１０１，１０２の使用例を示す。図１２は、箱型包装食品３０１，３０２を構成している携帯カートン１０１，１０２の斜めスタンド状態を模式的に示す側面図である。環状に組まれた状態に係合した一対の腕部１，２は、図１０や図１１に示す使用例と同様、ねじれにより湾曲することで突出した円錐台形状（図９）を形成しているが、この湾曲はそれとは逆向きになっている。つまり、一対の腕部１，２は、その先端が支持部３から離れるように湾曲している（反転した湾曲状態）。
【００４２】
上記のように腕部１，２を逆向きに組ませて、携帯カートン１０１，１０２を机Ｔの上に置くと、図１２に示すように、腕部１，２での支えによって携帯カートン１０１，１０２を斜めに立たせることができる。その斜めスタンド状態の携帯カートン１０１，１０２では、収容空間Ｓ内の個包装食品Ｆから食品（スティック菓子）Ｆａを容易に取り出すことができる。つまり、仕事や勉強をしながら携帯カートン１０１，１０２に触れずに食品Ｆａを取り出すことができて便利である。
【００４３】
携帯カートン１０１〜１０４において、背面板５に形成されているミシン目Ｍ１〜Ｍ４の位置，形状，サイズ；係合部（切り込み１ａ，２ａ等）の形態；折り目（折り曲げ線Ｌ１，Ｌ２等）の形態等は、携帯カートン１０１〜１０４の固定対象，内容物，製造工程（例えば、携帯カートンを組み立てる起函工程）等に応じて設定される。図１３〜図１８の展開図にその一例を示す。例えば、図１３，図１４の展開図は、携帯カートン１０１，１０２の変形例を第５，第６の実施の形態に係る携帯カートンとして、それを構成するブランク板２０１ａ，２０２ａをそれぞれ示している。また、図１５〜図１８の展開図は、携帯カートン１０１の変形例を第７〜第１０の実施の形態に係る携帯カートンとして、それを構成するブランク板２０１ｂ〜２０１ｅをそれぞれ示している。なお、第５〜第１０の実施の形態において、第１，第２の実施の形態と同様の構成によれば同様の効果が得られる。
【００４４】
ブランク板２０１ａ（図１３）のミシン目Ｍ１ａは、ブランク板２０１（図５）のミシン目Ｍ１と比べて、背面板５における高い位置に形成されている。ブランク板２０２ａ（図１４）のミシン目Ｍ２ａも、ブランク板２０２（図６）のミシン目Ｍ２と比べて、背面板５における高い位置に形成されている。したがって、ブランク板２０１ａ，２０２ａから成る携帯カートンは、固定対象に対して相対的に低い位置で固定されることになるため、結果として安定した固定状態を得ることが可能になる。
【００４５】
ブランク板２０２ａ（図１４）のミシン目Ｍ２ａの場合、腕部１，２の切欠き１ｃ，２ｃが深く形成されているため、より安定した係合状態が得られることによって、固定対象に対する固定状態を更に安定化することが可能になる。また、ブランク板２０１ａ，２０２ａから成る携帯カートンとは逆に、ブランク板２０１，２０２から成る携帯カートン１０１，１０２は、固定対象に対して相対的に高い位置で固定されることになるため、情報表示のための表示スペース（例えば、商品情報スペース，販売促進用の宣伝・広告スペース，注意書きスペース等）を広く確保することが可能となる。
【００４６】
ブランク板２０１ｂ，２０１ｃ，２０１ｄ，２０１ｅのミシン目Ｍ１ｂ，Ｍ１ｃ，Ｍ１ｄ，Ｍ１ｅでは（図１５〜図１８）、ブランク板２０１（図５）のミシン目Ｍ１と比べて、刃止めが部分的に大きくなっている。つまり、ブランク板２０１のミシン目Ｍ１の刃止め（支持部３における円形部分を除く）のサイズδ０と比べて、ブランク板２０１ｂ，２０１ｃ，２０１ｄ，２０１ｅのミシン目Ｍ１ｂ，Ｍ１ｃ，Ｍ１ｄ，Ｍ１ｅの刃止め（支持部３における円形部分を除く）のサイズδ１が長くなっている（例えば、δ０＝１．２ｍｍ，δ１＝１．５ｍｍ）。このようにミシン目の刃止めを部分的にサイズ調整することにより、起函工程におけるミシン目の破れを効果的に防止することができる。
【００４７】
ブランク板２０１ｂ，２０１ｃ，２０１ｄ，２０１ｅの折り曲げ線Ｌ１ａ，Ｌ２ａ（図１５〜図１８）では、ブランク板２０１（図５）の折り曲げ線Ｌ１，Ｌ２と比べて、リード罫のピッチが大きくなっている。例えば、折り曲げ線Ｌ１，Ｌ２のリード罫のピッチ：７ｍｍカット×７ｍｍノンカットに対して、折り曲げ線Ｌ１ａ，Ｌ２ａのリード罫のピッチ：１０ｍｍカット×２０ｍｍノンカットとなっている。このようにリード罫のピッチを調整することにより、携帯カートンの起函性を効果的に向上させることが可能となる。なお、ブランク板２０１ｂ，２０１ｄ，２０１ｅのように背面板５の左右両側をリード罫としてもよく、ブランク板２０１ｃのように一方をリード罫とし他方を押し罫としてもよい。
【００４８】
ブランク板２０１ｃ，２０１ｄのミシン目Ｍ１ｃ，Ｍ１ｄ（図１６，図１７）では、ブランク板２０１のミシン目Ｍ１（図５）と比べて、左右の折り目位置までの距離が長くなっている。つまり、ブランク板２０１におけるミシン目Ｍ１から折り曲げ線Ｌ１，Ｌ２までの各距離α０と比べて、ブランク板２０１ｃにおけるミシン目Ｍ１ｃから折り曲げ線Ｋ１０，Ｌ２ａまでの各距離α１、及びブランク板２０１ｄにおけるミシン目Ｍ１ｄから折り曲げ線Ｌ１ａ，Ｌ２ａまでの各距離α１が長くなっている（例えば、α０＝１２ｍｍ，α１＝１５ｍｍ）。ミシン目Ｍ１ｃ，Ｍ１ｄが、折り目を形成するための折り曲げ線Ｌ１ａ，Ｌ２ａ，Ｋ１０から、より遠くに位置することで、携帯カートンの起函性の向上が可能となる。
【００４９】
背面板５のサイズは、ブランク板２０１ｃ，２０１ｄ（図１６，図１７）とブランク板２０１（図５）とで同一であるため、ミシン目位置のシフト量：α１−α０だけ、腕部１，２の連結部４の横幅が狭くなっている。つまり、ブランク板２０１の腕部１，２の連結部４の横幅β０と比べて、ブランク板２０１ｃの腕部１，２の連結部４の横幅β１、及びブランク板２０１ｄの腕部１，２の連結部４の横幅β１が短くなっている。このため、腕部１，２の横幅、腕部１，２の間隔（例えば、支持部３における円形と台形との結合部分のサイズ）、切り込み１ａ，２ａの長さ等、腕部１，２に関連したサイズが短くなっている。このように腕部１，２に関連したサイズの調整は、携帯カートンの起函性の向上に有効である。
【００５０】
ブランク板２０１ｅ（図１８）では、腕部１，２の両側がカーブした形状になっている。つまり、ミシン目Ｍ１ｅにおいて折り曲げ線Ｌ１ａ，Ｌ２ａと対向している部分が、折り曲げ線Ｌ１ａ，Ｌ２ａ側に凸の曲線形状を有している。このように腕部１，２の形状がカーブしていると起函し易く、例えば、起函工程におけるミシン目Ｍ１ｅの破れを効果的に防止することができる。
【００５１】
携帯カートン１０１〜１０４等によれば、前述したように、一対の腕部１，２が切り起こされて環状に組まれた状態に係合すると少なくとも一方の腕部１，２にねじれが生じる構成になっているため、ねじれた腕部１，２の弾性力（復元力）で携帯カートン１０１〜１０４等を固定対象（鞄１５等）に強く固定することができる。したがって、固定部材を追加しなくても、携帯カートン１０１〜１０４等をしっかりとした固定状態で持ち歩くことが可能である。また、携帯カートン１０３，１０４のように、切り込み１ａ，１ｂ；２ａ，２ｂ等の係合部が少なくとも一方の腕部１，２に複数形成されていれば、腕部１，２から成る環内のサイズを固定対象に応じて調整することが可能となる。
【符号の説明】
【００５２】
１，２    腕部
１ａ，１ｂ，２ａ，２ｂ    切り込み（係合部）
１ｃ，２ｃ    切欠き（係合部）
３    支持部
４    連結部
５    背面板
５ａ    糊代片
６    前面板
６ａ，６ｂ    糊代片
７，８    側面板
７ａ，７ｂ，８ａ，８ｂ    フラップ
９    糊代片
１０    天面板
１１    オーバーフラップ板
１２    底面板
１５    鞄
１５ａ    取っ手
１６    ペットボトル
１６ａ    ボトル上部
１０１，１０２，１０３，１０４    携帯カートン（携帯容器）
２０１，２０２，２０３，２０４    ブランク板
２０１ａ，２０１ｂ，２０１ｃ，２０１ｄ，２０１ｅ，２０２ａ    ブランク板
３０１，３０２    箱型包装食品
Ｍ１，Ｍ２，Ｍ３，Ｍ４，Ｍ５  ミシン目
Ｍ１ａ，Ｍ１ｂ，Ｍ１ｃ，Ｍ１ｄ，Ｍ１ｅ，Ｍ２ａ  ミシン目
Ｋ１〜Ｋ１１，Ｌ１〜Ｌ４，Ｌ１ａ，Ｌ２ａ  折り曲げ線
Ｎ２  ミシン目
Ｓ    収容空間
Ｆ    個包装食品（内容物）
Ｆａ    食品（内容物）
Ｔ    机
【図１】
2020132168.tif 000003
【図２】
2020132168.tif 000004
【図３】
2020132168.tif 000005
【図４】
2020132168.tif 000006
【図５】
2020132168.tif 000007
【図６】
2020132168.tif 000008
【図７】
2020132168.tif 000009
【図８】
2020132168.tif 000010
【図９】
2020132168.tif 000011
【図１０】
2020132168.tif 000012
【図１１】
2020132168.tif 000013
【図１２】
2020132168.tif 000014
【図１３】
2020132168.tif 000015
【図１４】
2020132168.tif 000016
【図１５】
2020132168.tif 000017
【図１６】
2020132168.tif 000018
【図１７】
2020132168.tif 000019
【図１８】
2020132168.tif 000020